(57)【要約】      （修正有）【課題】晴雨の如何に関わらず履用することの出来る防水性と導電性とを兼ね備えた導電性防水靴を提供する。【解決手段】足型に合わせて袋状に縫製された防水インナー１の底面に窓孔を設け、該個所に導電性ゴムシートを縫着して導電部３とした防水インナーを甲皮２の内側に取り付けて一体とし、身体に発生した静電気を前記防水インナーの導電部を介して下方に位置する中底８に設けた導電部１０及び、ミッドソール１１に設けた導電部１３をそれぞれ経て靴底１４に導通させるようにした。【選択図】図１
0003171057.tif 000002
【実用新案登録請求の範囲】
【請求項１】
足型に合わせて袋状に縫製され，底面に窓孔を設けて該窓孔に導電性を持つゴムシート片を縫着し縫い糸の上に防水テープを貼着した防水インナーを甲皮の内側に取り付けて甲皮と一体とし、発生した静電気を前記ゴムシート片を介し順次中底及びミッドソールの各導電部を経て導電性を有する靴底に導通させるようにしたことを特徴とする防水性と導電性を兼ね備えた導電性防水靴。
【請求項２】
防水インナーの底面のゴムシート片に当接する中底の導電部が、中底に設けた窓孔に嵌合した導電性を持つ織物片又はゴム片である請求項１の導電性防水靴。
【請求項３】
中底の導電部に当接するミッドソールの導電部が、ミッドソールに設けた細溝に嵌合された導電性のあるゴム片である請求項１又は２の導電性防水靴。
【請求項４】
中底の導電部に当接するミッドソールの導電部が、ミッドソールに設けたスリットに挿通折曲された導電性のある布片である請求項１又は２の導電性防水靴。
【考案の詳細な説明】
【技術分野】
【０００１】
本考案は、防水性を具えるほか、人体に静電気を蓄積させないよう導電性をも兼ね備えた導電性防水靴に関する。
【背景技術】
【０００２】
歩行中に雨水が浸みこむのを防ぐため、防水靴として甲皮や縫い目に防水対策を施したものや、甲皮の内側に合成樹脂製のインナーを装着させた靴が知られている。
【０００３】
また、乾燥環境においては、衣服等の摩擦によって発生した静電気により、部屋又は自動車のノブに手を触れたときに感じるショックを避けるため、発生した静電気を地面に放電出来るようにした靴も出回っている。
【先行技術文献】
【特許文献】
【０００４】
この防水性と導電性とを兼ね備えた靴に関して次の２件の文献が存在する。
【特許文献１】特開２００３−８８４０４号公報
【特許文献２】特開２００３−９３１０５号公報
【考案の概要】
【考案が解決しようとする課題】
【０００５】
上記２件の公開公報において開示されている技術は防水性と導電性を兼ね備えた有用な発明である。しかし、敢えて難を云えば、そこに開示されている構造を採ると部材を多く必要とすることと、製造工程が繁雑であるという点である。そこで、本考案においては、この点に着目して同じ目的の改良された靴を提供しようとするものである。
【０００６】
特許文献１において開示されている発明は、足型に袋状に形成されたインナーの内側面と外側面にわたって導電糸による通し縫いをし、その縫い目に防水処理層を形成して導電部位とし、これを中底及びミッドソールの各導電部位を介して靴底の導電化部位に接触せしめ導通させるというものである。
【０００７】
また、特許文献２において開示されている発明は、同じく袋状の足型に形成された防水インナーを甲皮と一体としたものであるが、上記文献１が防水インナーの内側面から外側面にわたって導電糸による通し縫いにより導電部とするのに対し、防水インナーの縫製を導電糸によって行ない縫い目を導電性防水フィルム又はシートによって防水処理し、この導電性防水フィルム又はシートを導電部位とするというものである。
【課題を解決するための手段】
【０００８】
本考案においても、靴の内側に足型に袋状に形成した防水インナーを具えており、その防水インナーに設けた導電部位を中底及びミッドソールの導電部位を介して靴底の導電化部位に接触させ両者を導通させるという点では同一であり、主な相違点は、防水インナーの底面及び中底・ミッドソールに設ける導電部位の形成方法にある。
【考案の効果】
【０００９】
本考案は上記のような構成及び材料により確実に防水性と導電性とを兼ね備えた防水靴を得ることができる。
【考案を実施するための形態】
【００１０】
以下，図面を参照して本考案を説明する。図１は、本考案に係る導電性防水靴の分解斜視図、図２は、同じく靴の要部の縦断面図、図３は、防水インナー要部の平面図である。
【００１１】
一般に防水インナーの素材は、ある程度のクッション性と耐摩耗性を有しているのが好ましいので、前記公知文献記載のように、外側にはポリウレタンフィルムのような防水性のある材料を配し、内側は歩行時にある程度のクッション性を持つ材料を数層重ねた構造のものとするのが好ましい。例えば、ナイロン，テトロン等のパイル生地，寒冷紗等を用いる。
【００１２】
本考案においても、先ず、外側にポリウレタン系の防水フィルムのような防水性のある材料を配し、足に接する内側には汚れの付き難いサラッとした材料を用い、その間に歩行時にある程度のクッション性を持つようパイル生地やポリウレタンフォーム等の生地材料を数層重ねた構造のものとする。防水インナー１は、底部用，両側部用等に裁断されたこれらの材料を縫製し袋状とするのであるが、その縫製には導電糸を使用する必要は無く、一般に使用されている通常の縫い糸により行ない、全縫い目には防水テープ７を貼着する。
【００１３】
防水インナー１の底面に設ける導電部３は、次のようにして形成する。先ず、防水インナー１の底面に適当な形状の窓孔４を設け、その個所にこれと同形の導電性を持つゴムシート片５を当て、その周縁を通常の糸６を用いてかがり縫いにより窓孔４の内縁に縫いつけ、縫い目には防水テープ７を貼着する。
【００１４】
この防水インナーの底面に設ける導電部３は、窓孔４より大きめの導電性を持つゴムシート片を当てて貼着するか、貼着した上を通常の糸を用いて縫着しても良い。その場合も、縫い目には防水テープを貼着する。
【００１５】
防水インナー１の底面に接して下方に位置するのは中底８である。中底８は俗にテキソンボードと言われているもので、合成素材を圧縮成型したり、化学繊維不織布により作られるが、甲皮２の下部周縁を下面に巻き込んで一体とし保持する役割を持つ。この中底８の防水インナー１の導電部３が当接する位置には窓孔９を設け、そこにも導電性のある材料を嵌合し導電部とする。実施例においては、中底８の厚みとほぼ同じ厚みとなるよう布地を導電糸を用いて通し縫により形成された織物片１０が用いられているが、これに代えて導電性のあるゴム片を嵌合しても良い。
【００１６】
中底８の下方にはミッドソール１１が位置する。一般の靴の中には、ミッドソールがその下面が直接靴底となるようアウトソールと一体成型により作られた構造のものもあるが、本実施例においては、アウトソールとは別体となっている。
【００１７】
即ち、ミッドソール１１は、ＥＶＡ又はウレタン発泡体の成型により作られており、中底８の導電部が当接する位置に、爪先と踵とを結ぶ線にほぼ直角に交わるよう横長の細孔１２が設けられ、そこに導電性のあるゴム片１３が嵌合され、導電部となっている。
【００１８】
横長の細孔１２を爪先と踵とを結んだ線にほぼ直角に交わる位置と設けたのは、歩行時の靴底の屈曲を考慮したものである。
【００１９】
このミッドソール１１に設ける導電部は、上記の方法のほか、細孔１２に嵌合するゴム片１３に代えて、同じ位置にスリットを設け、該スリットに導電性を持つリボン状の布片を挿通して両端片を折り曲げることにより形成しても良い。
【００２０】
ミッドソール１１の下方には厚み数ｍｍの靴底１４が取り付けられる。靴底は、踵部分から爪先までの一体成型品をミッドソールの下面全体に貼着しても、踵部と靴底前半部１５を別体のものとして、それぞれ貼り付けても良い。いずれの場合でも、靴底前半部１５は導電性を有するものとする。
【００２１】
上記のような構成とすることにより、ミッドソール１１の導電部が導電性を持つ靴底前半部１５に接触することとなるので、発生した静電気は、防水インナー１に設けた導電部３を介して中底の導電部、ミッドソールの導電部を経て、順次，靴底１４まで導通されることとなる。
【００２２】
なお、上記（００１６）で触れたように、ミッドソールとアウトソールとを一体成型により構成した場合には、一体となっている靴底の前半部分が導電性を有していれば、中底の導電部が，靴底と一体となったミッドソールに直接当接することとなるので、同様の効果が得られる。
【００２３】
上記では触れなかったが、実際には完成した靴においては、防水インナー１の内側には、通常はインソール（図示しない）が敷かれる。したがって、その場合には、当然のことながらインソールの防水インナーの導電部に接する個所には、導電性を持つ布片を導電糸で通し縫いにより縫着するなどして形成した導電部を設ける必要がある。
【図面の簡単な説明】
【００２４】
【図１】本考案に係る導電性防水靴の分解斜視図。
【図２】本考案に係る導電性防水靴の要部の断面図。
【図３】防水インナーの要部の平面図。
【符号の説明】
【００２５】
１      防水インナー
２      甲皮
３      防水インナーの導電部
４      防水インナーに設けた窓孔
５      ゴムシート片
６      糸
７      防水テープ
８      中底
９      中底に設けた窓孔
１０    中底に設けた窓孔に嵌合した織物片
１１    ミッドソール
１２    ミッドソールに設けた細孔
１３    ミッドソールに設けた細孔に嵌合したゴム片
１４    靴底
１５    靴底の前半部
【図１】
0003171057.tif 000003
【図２】
0003171057.tif 000004
【図３】
0003171057.tif 000005